(57)【要約】【課題】表示パネルを提供する。【解決手段】表示パネルは、開口部と、データドライバと、入力端及び複数の出力端を有する第一デマルチプレクサと、入力端及び複数の出力端を有する第二デマルチプレクサと、第一データ線と、第二データ線と、第三データ線とを備える。第一デマルチプレクサ及び第二デマルチプレクサは開口部の反対側に位置され、第一デマルチプレクサ及び第二デマルチプレクサはデータドライバの第一データ出力端を介してデータドライバに接続され、且つ第一デマルチプレクサはデータドライバと開口部との間に位置される。第一データ線は第一デマルチプレクサのこれら前記出力端の内の何れか１つに接続され、第二データ線は第二デマルチプレクサのこれら前記出力端の内の何れか１つに接続され、且つ第三データ線は第二デマルチプレクサの入力端に接続される。【選択図】図１
2017076115.tif 000002
【特許請求の範囲】
【請求項１】
開口部と、
データドライバと、
入力端及び複数の出力端を有する第一デマルチプレクサと、
入力端及び複数の出力端を有する第二デマルチプレクサと、
第一データ線と、
第二データ線と、
第三データ線とを備え、
ここでは、前記第一デマルチプレクサ及び前記第二デマルチプレクサは前記開口部の反対側に位置され、前記第一デマルチプレクサ及び前記第二デマルチプレクサは前記データドライバの第一データ出力端を介して前記データドライバに接続され、且つ前記第一デマルチプレクサは前記データドライバと前記開口部との間に位置され、
また、前記第一データ線は前記第一デマルチプレクサのこれら前記出力端の内の何れか１つに接続され、前記第二データ線は前記第二デマルチプレクサのこれら前記出力端の内の何れか１つに接続され、且つ前記第三データ線は前記第二デマルチプレクサの前記入力端に接続されることを特徴とする表示パネル。
【請求項２】
前記第三データ線は、前記第一データ線に未接続の前記第一デマルチプレクサのこれら前記出力端の内の何れか１つに接続されることを特徴とする、請求項１に記載の表示パネル。
【請求項３】
前記第一デマルチプレクサは第一スイッチ及び第三スイッチを備え、前記第二デマルチプレクサは第二スイッチを含み、前記第一スイッチは前記第一データ線及び前記第一データ出力端に接続され、前記第二スイッチは前記第二データ線及び前記第三データ線に接続され、且つ前記第三スイッチは前記第三データ線及び前記第一データ出力端に接続されることを特徴とする、請求項２に記載の表示パネル。
【請求項４】
前記第一スイッチは第一クロック信号に電気的に接続され、前記第二スイッチは第二クロック信号に電気的に接続され、且つ前記第三スイッチは第三クロック信号に電気的に接続され、前記第一クロック信号は前記第二クロック信号と同期されることを特徴とする、請求項３に記載の表示パネル。
【請求項５】
前記第一クロック信号及び前記第二クロック信号が共に前記高電圧レベルにある場合、前記第三クロック信号は高電圧レベルにあり、且つ前記第三クロック信号が前記高電圧レベルにある時間が、前記第一クロック信号及び前記第二クロック信号が前記高電圧レベルにある時間より長いことを特徴とする、請求項４に記載の表示パネル。
【請求項６】
前記第一クロック信号、前記第二クロック信号、及び前記第三クロック信号が前記高電圧レベルにある場合、第一データ信号が、前記第一データ線、前記第二データ線、及び前記第三データ線から入力され、且つ前記第三クロック信号が前記高電圧レベルにある場合、第二データ信号が前記第三データ線から入力されることを特徴とする、請求項５に記載の表示パネル。
【請求項７】
複数の副画素を更に備え、これら前記副画素の一部は前記第一データ線に接続され、これら前記副画素の一部は前記第二データ線に接続され、これら前記副画素の一部は前記第三データ線に接続され、前記第三データ線に接続されるこれら前記副画素の数量は、前記第一データ線に接続されるこれら前記副画素より多く、前記第三データ線に接続されるこれら前記副画素の数量は、前記第二データ線に接続されるこれら前記副画素の数量より多いことを特徴とする、請求項１に記載の表示パネル。
【請求項８】
第四スイッチ及び第五スイッチを含む第三デマルチプレクサを更に備え、前記第四スイッチは第四データ線及び前記データドライバの第二データ出力端に接続され、前記第五スイッチは第五データ線及び前記データドライバの前記第二データ出力端に接続され、前記第四スイッチは前記第三クロック信号または第四クロック信号に電気的に接続され、且つ前記第五スイッチは前記第一クロック信号または第五クロック信号に電気的に接続されることを特徴とする、請求項１に記載の表示パネル。
【請求項９】
前記第三データ線は前記第一デマルチプレクサの前記入力端及び前記第一データ出力端に接続され、前記第一デマルチプレクサは第一スイッチを含み、前記第二デマルチプレクサは第二スイッチを含み、前記第一スイッチは前記第一データ線及び前記第一データ出力端に接続され、前記第二スイッチは前記第二データ線及び前記第一データ出力端に接続され、前記第一スイッチは第一クロック信号に電気的に接続され、且つ前記第二スイッチは第二クロック信号に電気的に接続されることを特徴とする、請求項１に記載の表示パネル。
【請求項１０】
第三スイッチを含む第三デマルチプレクサを更に備え、前記第三スイッチは第四データ線及び前記データドライバの第二データ出力端に接続され、前記第三スイッチは前記第一クロック信号または前記第三クロック信号に電気的に接続されることを特徴とする、請求項９に記載の表示パネル。
【発明の詳細な説明】
【技術分野】
【０００１】
本発明は、表示パネル（display panel）に関し、更に詳しくは、表示領域内に開口部を有する異形表示パネルに関する。
【背景技術】
【０００２】
表示装置の進歩は目覚ましく、表示パネルには多くの応用形態が存在する。表示領域(アクティブ領域)内に開口部を有する異形表示パネルは、重大な変化をもたらしている。開口部を有する異形表示パネルはスマートウォッチへの応用、車両への応用、ＧＰＳ装置への応用等に使用されている。
【発明の概要】
【発明が解決しようとする課題】
【０００３】
しかしながら、従来の表示パネル技術では、すなわち、開口部を有する異形表示パネルには、駆動ピン、接続レイアウト、デマルチプレクサ、及び周辺空間を追加する必要がある。空間が追加されるとパネルのサイズを最小化することができなくなるため、実際の需要には適っていなかった。そこで、本発明者は上記の欠点が改善可能と考え、鋭意検討を重ねた結果、合理的設計で上記の課題を効果的に改善する本発明の表示パネルの提案に到った。
【０００４】
本発明は、上述のような従来の問題を解決するためになされたもので、上記課題解決のため、本発明は、表示パネルを提供することを主目的とする。
【課題を解決するための手段】
【０００５】
上述した課題を解決し、目的を達成するために、本発明に係る表示パネルは、表示器の開口部周辺に接続されるブリッジ接続線(bridge line, BDL)を有する。ブリッジ接続線は表示装置中のデータドライバから離れる第二デマルチプレクサに位置されるデータ伝送線に穿孔される。本発明の技術を用いることで、先行技術に比べてパネルフレーム領域のレイアウト空間への影響が減少し、且つデータ信号の出力順序は一般的な表示器と同じであるため、より狭いベゼルの表示パネルを提供できる。
【０００６】
本発明の好ましい実施形態によれば、本発明に係る表示パネルは、開口部と、データドライバと、入力端及び複数の出力端を有する第一デマルチプレクサと、入力端及び複数の出力端を有する第二デマルチプレクサと、第一データ線と、第二データ線と、第三データ線とを備える。第一デマルチプレクサ及び第二デマルチプレクサは開口部の反対側に位置され、第一デマルチプレクサ及び第二デマルチプレクサはデータドライバの第一データ出力端を介してデータドライバに接続され、且つ第一デマルチプレクサはデータドライバと開口部との間に位置される。第一データ線は第一デマルチプレクサのこれら前記出力端の内の何れか１つに接続され、第二データ線は第二デマルチプレクサのこれら前記出力端の内の何れか１つに接続され、且つ第三データ線は第二デマルチプレクサの入力端に接続される。
【発明の効果】
【０００７】
本発明の表示パネルによれば、パネル周辺領域のレイアウト空間への影響が抑えられ、且つデータ信号の出力順序及びデータドライバの出力数量は一般的な表示パネルと同じであるため、よって、狭いベゼルの表示パネルを提供可能になる。
【図面の簡単な説明】
【０００８】
【図１】本発明の好ましい実施形態による表示パネルを示す概略図である。
【図２】本発明の好ましい実施形態による表示パネルを示す概略図である。
【図３Ａ】本発明の好ましい実施形態による表示パネルを示す概略図である。
【図３Ｂ】本発明の６個スイッチ及び５個スイッチを含むデマルチプレクサ回路を示す概略図である。
【図３Ｃ】本発明のｎ個スイッチ及びｎ−１個スイッチを含むデマルチプレクサ回路を示す概略図である。
【図４Ａ】本発明のデマルチプレクサの制御回路を示す概略図である。
【図４Ｂ】本発明のデマルチプレクサの操作を示すタイミング図である。
【図５】本発明の好ましい実施形態による表示パネルを示す概略図である。
【図６】本発明のデマルチプレクサを示すタイミング図である。
【図７】本発明の好ましい実施形態による表示パネルを示す概略図である。
【図８】本発明のデマルチプレクサを示すタイミング図である。
【図９】本発明の好ましい実施形態による表示パネルを示す概略図である。
【図１０Ａ】本発明のデマルチプレクサの制御回路を示す概略図である。
【図１０Ｂ】本発明のデマルチプレクサの操作を示すタイミング図である。
【図１１】本発明の好ましい実施形態による表示パネルを示す概略図である。
【図１２】本発明のデマルチプレクサを示すタイミング図である。
【発明を実施するための形態】
【０００９】
本発明における好適な実施の形態について、添付図面を参照して説明する。尚、本発明におけるＣＫ〜ＣＫ８はクロック信号を意味し、ＣＫ〜ＣＫ８のクロック信号を有する回線も意味する。以下に説明する実施の形態は、特許請求の範囲に記載された本発明の内容を限定するものではない。また、以下に説明される構成の全てが、本発明の必須要件であるとは限らない。
【実施形態】
【００１０】
図１は本発明の好ましい実施形態による表示パネル１００を示す概略図である。図１に示すように、表示パネル１００は、複数のデータ線１３０及び複数の走査線１４０を備える。データ線１３０はソースラインであり、走査線１４０はゲートラインである。データ線１３０は複数の画素薄膜トランジスタ１５０のソースに接続され、走査線１４０は複数の画素薄膜トランジスタ１５０のゲートに接続される。
【００１１】
表示パネル１００は表示領域(アクティブ領域)内に開口部１１１を有する。データ線１３０は開口部１１１から２つの部分に分かれ、データドライバ１２０に近い側及び遠い側にそれぞれ位置される。データ線１３０が表示パネル１００中の開口部１１１から分かれるため、表示パネル１００は、データ信号をデータドライバ１２０から遠い側のデータ線１３０に伝送させる手段を有する必要がある。
【００１２】
直接的な方法によりデータドライバ１２０から遠い側のデータ線１３０からデータ信号が入力され、すなわち、データドライバ１２０の出力ピン及び表示領域１１０の近隣の周辺領域内にある関連するレイアウトが増加され、且つデータドライバ１２０から遠い側に設置されると共に少なくとも１つのデマルチプレクサ(De-MUX)を備える追加のデマルチプレクサ回路１６０により追加のレイアウトがデータドライバ１２０から遠い側のデータ線１３０に接続される。周辺領域の追加のレイアウトは図１中の“Ａ”及び“Ｃ”の範囲に表示される。
【００１３】
図２は本発明の他の実施形態による表示パネル２００を示す概略図である。データ信号はデータドライバ１２０から遠い側から入力され、データ線２１０及びデマルチプレクサ１６１によりデータ信号が遠い側のデータ線１３０に伝送される。デマルチプレクサ１６１はデータドライバ１２０から遠い側に設置される。データ線２１０はデータ信号を遠い側のデータドライバ１２０に伝送させるために用いられ、データ線２１０はデータドライバ１２０の出力ピンに直接接続される。データ線２１０はデータ線２２０から独立し、データ線２２０はデータドライバ１２０に近い側の第二デマルチプレクサ２３０及びデータドライバ１２０の出力ピンに直接接続される。周辺領域中の追加のレイアウトは“Ｂ”及び“Ｃ”の範囲に表示される。
【００１４】
図２を参照すれば、デマルチプレクサ２３０は３つのスイッチを有する。３つのスイッチのデータ入力端はデータ線２２０を介してデータドライバ１２０の出力ピンに接続され、出力端は３本のデータ線にそれぞれ接続され、３つのスイッチの制御端は、第一制御クロック信号ＣＫ１、第二制御クロック信号ＣＫ２、及び第三制御クロック信号ＣＫ３に接続される。デマルチプレクサ１６１は２つのスイッチを有し、２つのスイッチの入力端はデータ線２１０を介してデータドライバ１２０の出力ピンに接続され、２つのスイッチの出力端は２本のデータ線にそれぞれ接続され、２つのスイッチの制御端は第二制御クロック信号ＣＫ２及び第三制御クロック信号ＣＫ３に接続される。回路のデマルチプレクサの制御及びデータ伝送の回路のタイミングについては、第三制御クロック信号ＣＫ３から第一制御クロック信号ＣＫ１まで制御されて順にオンとオフに切り換えられることにより、関連するスイッチが順にオンとオフに切り換えられ、データ信号Ｄ１Ａ、Ｄ２Ａ、Ｄ３Ａ、Ｄ１Ｂ、Ｄ２Ｂ、及びＤ３Ｂが開口部１１１の両側の関連する副画素に提供される。
【００１５】
続いて、図３Ａは本発明の他の実施形態による表示パネル３００を示す概略図である。表示パネル３００は少なくとも１つのデータドライバ３１０と、複数の第一型デマルチプレクサ回路３１１並びに３１３と、複数の第二型デマルチプレクサ回路３１５並びに３１７と、少なくとも１つの第一データ線３４０と、複数の第二データ線３５０とを備える。
【００１６】
なお、データドライバ３１０はデマルチプレクサ回路に接続される複数のデータ出力端(ピン)を備え、データ信号を表示領域３７０内の副画素に提供するために用いられる。第一型デマルチプレクサ回路３１１及び３１３は複数の制御線により制御される少なくとも１つのスイッチを有するデマルチプレクサ(De-MUX)を含み、且つ第二データ線３５０を介してデータ信号が伝送される。本実施形態では、第一型デマルチプレクサ回路３１１及び３１３は３本の制御線ＣＫ１、ＣＫ２、及びＣＫ３により制御される３つのスイッチを含む。スイッチの入力端はデータ線を介してデータドライバ３１０に接続され、スイッチの出力端は他の第二データ線３５０を介して関連する副画素に接続される。他の実施形態において、デマルチプレクサは、２本、４本、５本、６本、７本、８本、９本、１０本、１１本、１２本、或いは他の整数の第二データ線３５０と、それらに対応されるスイッチと、制御線とを備える。
【００１７】
第二型デマルチプレクサ回路３１５及び３１７は開口部３６０の反対側に位置され、第二型デマルチプレクサ回路３１５はデータドライバ３１０及び第一型デマルチプレクサ回路３１１並びに３１３に隣接される。第二型デマルチプレクサ回路３１５は少なくとも１つのデマルチプレクサ３２０を備える。本実施形態では、デマルチプレクサ３２０は制御線ＣＫ１、ＣＫ２、及びＣＫ３によりそれぞれ制御される３つのスイッチを含み、スイッチの入力端３２１はデータ線を介してデータドライバ３１０に接続され、スイッチの出力端３２３は２本の第二データ線３５０及び第一データ線３４０を介して関連する副画素に接続される。第二型デマルチプレクサ回路３１７は少なくとも１つのデマルチプレクサ３３０を備える。本実施形態では、デマルチプレクサ３３０は２本の制御線ＣＫ４及びＣＫ５によりそれぞれ制御される２つのスイッチを含み、スイッチの入力端３３１は第一データ線３４０を介してデマルチプレクサ３２０のスイッチの内の１つに接続され、スイッチの出力端３３３は２本の第二データ線３５０を介して関連する副画素に接続される。第二型デマルチプレクサ回路３１７中のデマルチプレクサ３３０の第一データ線３４０の長さは各々異なり、且つ第一データ線３４０が２本の回路に分かれて開口部３６０を卷回させる。第一型デマルチプレクサ回路３１１及び３１３の第二データ線３５０に対応される副画素の数量は、第二型デマルチプレクサ回路３１５及び３１７の第二データ線３５０に対応される副画素の数量より多い。他の実施形態において、デマルチプレクサは２本、４本、５本、６本、７本、８本、９本、１０本、１１本、１２本、或いは他の整数のスイッチと、それらに対応される第二データ線３５０と、制御線とを備える。図３Ｂに示すように、第二型デマルチプレクサ回路３１５及び３１７は６つのスイッチ及び５つのスイッチをそれぞれ含む。なお、第二型デマルチプレクサ回路３１５及び３１７はｎ個のスイッチ及びｎ−１個のスイッチをそれぞれ含む（図３Ｃ参照）。
【００１８】
本実施形態では、デマルチプレクサ３２０及びデマルチプレクサ３３０のスイッチの数量の差は１個であり、制御線ＣＫの数量の差も１本である。他の実施形態では、数量の差は他の整数である。本実施形態において、デマルチプレクサ３２０及びデマルチプレクサ３３０の出力端の数量の差は１個である。他の実施形態において、数量の差は他の整数である。
【００１９】
また、第一データ線３４０はデマルチプレクサ３２０の出力端３２３とデマルチプレクサ３３０の出力端３３３との間に接続される。第一データ線３４０によりデータ信号が副画素の対応される行に提供されると共にデマルチプレクサ３３０の第二データ線３５０によりデータ信号が副画素の他の部分の行に転送される。第一データ線３４０に対応される副画素の数量は、第二型デマルチプレクサ回路３１５及び３１７の第二データ線３５０に対応される副画素の数量より多い。第二データ線３５０がデマルチプレクサ３２０の出力端３２３に接続される方向は、第二データ線３５０がデマルチプレクサ３３０の出力端３３３に接続される方向とは反対になる。
【００２０】
本実施形態では、表示パネル３００は異形表示パネルであり、表示領域３７０内に開口部３６０を有する。図４Ａは本発明のデマルチプレクサ３２０の制御回路を示す概略図であり、図４Ｂは本発明のデマルチプレクサ３３０の操作を示すタイミング図である。図４Ａに示すように、デマルチプレクサ３２０は、スイッチＳＷ１と、スイッチＳＷ２と、スイッチＳＷ３とを含み、デマルチプレクサ３３０はスイッチＳＷ４及びスイッチＳＷ５を含む。
【００２１】
スイッチＳＷ１の出力端３２３は第一データ線３４０を介してスイッチＳＷ４及びスイッチＳＷ５の入力端３３１に接続される。他の実施形態では、第一データ線３４０は選択的にスイッチＳＷ２またはスイッチＳＷ３の出力端３２３に接続される。
【００２２】
スイッチＳＷ１の制御端がクロック信号ＣＫ１に電気的に接続されて、選択的にデータドライバ３１０からデータ信号がスイッチＳＷ１の出力端３２３に提供される。スイッチＳＷ２の制御端がクロック信号ＣＫ２に電気的に接続され、選択的にデータドライバ３１０からデータ信号が提供される。スイッチＳＷ３の制御端がクロック信号ＣＫ３に電気的に接続されて、選択的にデータドライバ３１０からデータ信号が提供される。
【００２３】
スイッチＳＷ４の制御端がクロック信号ＣＫ４に電気的に接続されて、選択的にデータドライバ３１０から第一データ線３４０を経由してデータ信号が提供される。スイッチＳＷ５の制御端がクロック信号ＣＫ５に電気的に接続されて、選択的にデータドライバ３１０から第一データ線３４０を経由してデータ信号が提供される。
【００２４】
図４Ａ及び図４Ｂを参照すれば、上側部分の走査期間において、ゲートラインＧｍは高電圧レベルにある。ゆえに、副画素４１１、４１２、及び４１３の薄膜トランジスタのゲートも高電圧レベルにあり、副画素４１１、４１２、及び４１３はデータ信号の書き込み準備が整う。スイッチＳＷ１がクロック信号ＣＫ１に電気的に接続されて、選択的にデータドライバ３１０からデータ信号Ｄ３が複数の出力ノードの内の１つに提供される。すなわち、データドライバ３１０から出力されるデータ信号Ｄ３は第一データ線３４０を経由してデマルチプレクサ３３０の入力端３３１に伝送される。これにより、クロック信号ＣＫ１が高電圧レベルにある場合、クロック信号ＣＫ５も高電圧レベルにあり、クロック信号ＣＫ４が低電圧レベルにある場合、データ信号Ｄ３が副画素４１１及び４１３に書き込まれる。次いで、クロック信号ＣＫ１が高電圧レベルにある場合、クロック信号ＣＫ４も高電圧レベルにあり、クロック信号ＣＫ５が低電圧レベルにある場合、データ信号Ｄ２が副画素４１１及び４１２に書き込まれる。最後に、クロック信号ＣＫ４及びクロック信号ＣＫ５が共に低電圧レベルにあり、クロック信号ＣＫ１が高電圧レベルにある場合、データ信号Ｄ１が副画素４１１に書き込まれる。本実施形態では、スイッチ及び薄膜トランジスタは共にＮＭＯＳであり、チャンネルの立ち上がり電圧は高電圧レベルであり、チャンネルの終止電圧は低電圧レベルである。他の実施形態では、スイッチ及び薄膜トランジスタは共にＰＭＯＳであり、チャンネルの立ち上がり電圧は低電圧レベルであり、チャンネルの終止電圧は高電圧レベルである。
【００２５】
下側部分の走査期間において、ゲートラインＧｎが高電圧レベルにあるため、副画素４２１、４２２、及び４２３の薄膜トランジスタのゲートも高電圧レベルにあり、副画素４２１、４２２、及び４２３はデータ信号の書き込み準備が整う。クロック信号ＣＫ１及びクロック信号ＣＫ３が共に高電圧レベルにあり、クロック信号ＣＫ２が低電圧レベルにある場合、データ信号Ｄ３が副画素４２１及び４２３に書き込まれる。次に、クロック信号ＣＫ１及びクロック信号ＣＫ２が共に高電圧レベルにあり、クロック信号ＣＫ３が低電圧レベルにある場合、データ信号Ｄ２が副画素４２１及び４２２に書き込まれる。最後に、クロック信号ＣＫ３及びクロック信号ＣＫ２が高電圧レベルになく、クロック信号ＣＫ１が高電圧レベルにある場合、データ信号Ｄ１が副画素４２１に書き込まれる。クロック信号ＣＫ２はクロック信号ＣＫ４と同期され、クロック信号ＣＫ３はクロック信号ＣＫ５と同期される。
【００２６】
図３及び図４Ａに示すように、第一データ線３４０は開口部３６０の周辺のブリッジ接続線に設置される。開口部３６０の複数の第二データ線３５０のデータ信号は第一データ線３４０及びデマルチプレクサ３３０を経由して伝送される。図４Ａ及び図４Ｂはデマルチプレクサ３２０及び３３０の制御回路及びデータ転送タイミング図である。本実施形態の長所は、パネル周辺領域に小さなレイアウト空間を備え、データ信号の出力順序が開口部が存在しない(穿孔が無い)一般的な表示器と同じである点である。
【００２７】
図４Ｂを参照すれば、クロック信号ＣＫ２及びクロック信号ＣＫ４が共に高電圧レベルにある場合、クロック信号ＣＫ１が高電圧レベルにあり、且つクロック信号ＣＫ１が高電圧レベルにある時間が、クロック信号ＣＫ２及びクロック信号ＣＫ４が高電圧レベルにある時間より長い。クロック信号ＣＫ３及びクロック信号ＣＫ５が共に高電圧レベルにある場合、クロック信号ＣＫ１が高電圧レベルにあり、且つクロック信号ＣＫ１が高電圧レベルにある時間が、クロック信号ＣＫ３及びクロック信号ＣＫ６が高電圧レベルにある時間より長い。
【００２８】
図５は本発明の他の実施形態による表示パネル３００を示す概略図である。図３の部材以外に、表示パネル３００はデマルチプレクサ回路３１１内に少なくとも１つのデマルチプレクサ５１０を更に備える。デマルチプレクサ５１０は、スイッチＳＷ６と、スイッチＳＷ７と、スイッチＳＷ８とを有する。スイッチＳＷ６がクロック信号ＣＫ６に電気的に接続されて、選択的にデータドライバ３１０からデータ信号が提供される。スイッチＳＷ７がクロック信号ＣＫ２に電気的に接続されて、選択的にデータドライバ３１０からデータ信号が提供される。スイッチＳＷ８がクロック信号ＣＫ３に電気的に接続されて、選択的にデータドライバ３１０からデータ信号が提供される。
【００２９】
図６は本発明のデマルチプレクサ３２０、デマルチプレクサ３３０及びデマルチプレクサ５１０を示すタイミング図である。図６に示すように、デマルチプレクサ３２０、デマルチプレクサ３３０、及びデマルチプレクサ５１０の独立制御によりパワーの消耗が減少される。上側部分の走査期間において、クロック信号ＣＫ１は、Ｄ３、Ｄ２、及びＤ１のデータ伝送時に高電圧レベル“Ｈ”に維持され、クロック信号ＣＫ４及びクロック信号ＣＫ５はクロック信号ＣＫ２及びクロック信号ＣＫ３のように切り換えられる。
【００３０】
中央部分(開口部に対応される列)の走査期間において、クロック信号ＣＫ１、クロック信号ＣＫ４、及びクロック信号ＣＫ５は低電圧レベル“Ｌ”に維持される。下側部分の走査期間において、クロック信号ＣＫ４及びクロック信号ＣＫ５は低電圧レベル“Ｌ”に維持され、クロック信号ＣＫ１はクロック信号ＣＫ６のように切り換えられる。図４Ｂ及び図６を比較すると、クロック信号ＣＫ１は中央部分(開口部の列)の走査期間及び下側部分の走査期間で常に高電圧レベル“Ｈ”におかれる必要がないため、これにより、より多くのパワーを節約できる。
【００３１】
図７は本発明の他の実施形態による表示パネルを示す概略図である。図7に示すように、スイッチＳＷ６がクロック信号ＣＫ６に電気的に接続されて、選択的にデータドライバ３１０からデータ信号が提供される。スイッチＳＷ７がクロック信号ＣＫ７に電気的に接続されて、選択的にデータドライバ３１０からデータ信号が提供される。スイッチＳＷ８がクロック信号ＣＫ８に電気的に接続されて、選択的にデータドライバ３１０からデータ信号が提供される。
【００３２】
図８は本発明のデマルチプレクサ３２０、３３０及び５１０を示すタイミング図である。図８に示すように、デマルチプレクサ３２０、デマルチプレクサ３３０、及びデマルチプレクサ５１０の独立制御によりパワーの消耗が抑制される。上側部分の走査期間において、クロック信号ＣＫ１は、Ｄ３、Ｄ２、及びＤ１のデータ伝送時に高電圧レベル“Ｈ”に維持され、クロック信号ＣＫ４及びクロック信号ＣＫ５はクロック信号ＣＫ７及びクロック信号ＣＫ８のように切り換えられ、クロック信号ＣＫ２及びクロック信号ＣＫ３は低電圧レベル“Ｌ”に維持される。
【００３３】
中央部分(開口部列)の走査期間において、クロック信号ＣＫ１、クロック信号ＣＫ４、クロック信号ＣＫ５、クロック信号ＣＫ２、及びクロック信号ＣＫ３は低電圧レベル“Ｌ”に維持される。
【００３４】
なお、下側部分の走査期間において、クロック信号ＣＫ１はクロック信号ＣＫ６のように切り換えられ、クロック信号ＣＫ２はクロック信号ＣＫ７のように切り換えられ、クロック信号ＣＫ３はクロック信号ＣＫ８のように切り換えられる。クロック信号ＣＫ４及びクロック信号ＣＫ５は低電圧レベル“Ｌ”に維持される。
【００３５】
図９は本発明の他の実施形態による表示パネル９００を示す概略図である。表示パネル９００は、データドライバ９１０と、少なくとも１つのデマルチプレクサ９２０と、少なくとも１つのデマルチプレクサ９３０と、少なくとも１つの第一データ線９４０と、複数の第二データ線９５０と、複数の制御線ＣＫと、少なくとも１つのデマルチプレクサ９７０とを備える。
【００３６】
デマルチプレクサ９２０はデータドライバ９１０の出力ピンに接続される入力端９２１、及び第二データ線９５０に接続される複数の出力端９２３を有する。少なくとも１つのデマルチプレクサ９３０はデータドライバ９１０の出力ピンに接続される入力端９３１、及び第二データ線９５０に接続される複数の出力端９３３を有する。第一データ線９４０はデマルチプレクサ９３０の入力端９３１と入力端９２１が接続される同じ出力ピンとの間に接続される。第一データ線９４０及び第二データ線９５０によりデータ信号が副画素の対応される行に提供される。第一データ線９４０によりデータ信号が副画素の他の行に転送される。
【００３７】
本実施形態では、表示パネル９００は表示領域９９０内に開口部９８０を有する異形表示パネルである。図１０Ａ及び図１０Ｂは本発明のデマルチプレクサ９２０、デマルチプレクサ９３０及びデマルチプレクサ９７０を示す制御回路及びタイミング図である。
【００３８】
図１０Ａを参照すれば、デマルチプレクサ９２０はスイッチＳＷ１及びスイッチＳＷ２を含み、デマルチプレクサ９３０はスイッチＳＷ３及びスイッチＳＷ４を含む。図９を参照すれば、デマルチプレクサ９７０は、スイッチＳＷ５と、スイッチＳＷ６と、スイッチＳＷ７とを有する。
【００３９】
スイッチＳＷ１はクロック信号ＣＫ１が電気的に接続されて、選択的にデータドライバ９１０からデータ信号が提供される。スイッチＳＷ２がクロック信号ＣＫ２に電気的に接続されて、選択的にデータドライバ９１０からデータ信号が提供される。スイッチＳＷ３がクロック信号ＣＫ１に電気的に接続されて、選択的にデータドライバ９１０から第一データ線を経由してデータ信号９４０が提供され、スイッチＳＷ４がクロック信号ＣＫ２に電気的に接続されて、選択的にデータドライバ９１０から第一データ線９４０を経由してデータ信号が提供される。
【００４０】
スイッチＳＷ５がクロック信号ＣＫ３に電気的に接続されて、選択的にデータドライバ９１０からデータ信号が提供される。スイッチＳＷ６がクロック信号ＣＫ１に電気的に接続されて、選択的にデータドライバ９１０からデータ信号が提供される。スイッチＳＷ７がクロック信号ＣＫ２に電気的に接続されて、選択的にデータドライバ９１０からデータ信号が提供される。
【００４１】
前述の例と比べると、デマルチプレクサ９２０中のスイッチの内の１つが削除されることにより、ハードウェア上の空間が減少され、コストも削減される。このように、デマルチプレクサによりクロック信号のタイミング(ＣＫ１、ＣＫ２、及びＣＫ３)が制御されて順に走査が行われる（図１０Ｂ参照）。
【００４２】
図１１は本発明の他の実施形態による表示パネル９００を示す概略図である。図１１に示すように、スイッチＳＷ１がクロック信号ＣＫ１に電気的に接続されて、選択的にデータドライバ９１０からデータ信号が提供される。スイッチＳＷ２がクロック信号ＣＫ２に電気的に接続されて、選択的にデータドライバ９１０からデータ信号が提供される。スイッチＳＷ３がクロック信号ＣＫ３に電気的に接続されて、選択的にデータドライバ９１０から第一データ線９４０を経由してデータ信号が提供される。スイッチＳＷ４がクロック信号ＣＫ４に電気的に接続されて、選択的にデータドライバ９１０から第一データ線９４０を経由してデータ信号が提供される。
【００４３】
スイッチＳＷ５がクロック信号ＣＫ５に電気的に接続されて、選択的にデータドライバ９１０からデータ信号が提供される。スイッチＳＷ６がクロック信号ＣＫ６に電気的に接続されて、選択的にデータドライバ９１０からデータ信号が提供される。スイッチＳＷ７がクロック信号ＣＫ７に電気的に接続されて、選択的にデータドライバ９１０からデータ信号が提供される。
【００４４】
図１２は本発明のデマルチプレクサ９２０、デマルチプレクサ９３０及びデマルチプレクサ９７０を示すタイミング図である。図１２に示すように、デマルチプレクサ９２０、デマルチプレクサ９３０、及びデマルチプレクサ９７０の独立制御によりパワーの消耗が抑えられる。
【００４５】
上側部分の走査期間において、クロック信号ＣＫ１及びクロック信号ＣＫ２は低電圧レベル“Ｌ”に維持され、クロック信号ＣＫ３はクロック信号ＣＫ６のように切り換えられ、クロック信号ＣＫ４はクロック信号ＣＫ７のように切り換えられる。
【００４６】
中央部分(開口部に対応される列)の走査期間において、クロック信号ＣＫ３、クロック信号ＣＫ４、クロック信号ＣＫ１、及びクロック信号ＣＫ２は低電圧レベル“Ｌ”に維持される。
【００４７】
下側部分の走査期間において、クロック信号ＣＫ３及びクロック信号ＣＫ４は低電圧レベル“Ｌ”に維持され、クロック信号ＣＫ１はクロック信号ＣＫ６のように切り換えられ、クロック信号ＣＫ２はクロック信号ＣＫ７のように切り換えられる。
【００４８】
各デマルチプレクサに対して独立したクロック信号が採用されることにより、走査領域に基づいてクロック信号の駆動に必要なパワーが抑制され、データドライバの負担が低減される。
【００４９】
上述したように、表示器の開口部周辺にレイアウトされるブリッジ接続線(BDL)を利用し、ブリッジ接続線は表示装置中のデータドライバ３１０から遠い側に位置されるデマルチプレクサ３３０のデータ伝送線に穿孔される。この技術により、パネル周辺領域のレイアウト空間への影響が減少され、且つデータ信号の出力順序及びデータドライバの出力数量は一般的な表示パネルと同じであるため、狭いベゼルの表示パネルが提供可能になる。
【００５０】
上述の実施形態は本発明の技術思想及び特徴を説明するためのものにすぎず、当該技術分野を熟知する者に本発明の内容を理解させると共にこれをもって実施させることを目的とし、本発明の特許請求の範囲を限定するものではない。従って、本発明の精神を逸脱せずに行う各種の同様の効果をもつ改良又は変更は、後述の請求項に含まれるものとする。
【符号の説明】
【００５１】
１００  表示パネル
１１０、３７０  表示領域
１１１、３６０  開口部
１２０  データドライバ
３１０  データドライバ
９１０  データドライバ
１３０  データ線
２１０  データ線
２２０  データ線
３４０  データ線
３５０  データ線
９４０  データ線
９５０  データ線
１４０  走査線
１５０  薄膜トランジスタ
１６０  デマルチプレクサ回路
３１１  デマルチプレクサ回路
３１３  デマルチプレクサ回路
３１５  デマルチプレクサ回路
３１７  デマルチプレクサ回路
１６１  デマルチプレクサ
２３０  デマルチプレクサ
３２０  デマルチプレクサ
３３０  デマルチプレクサ
９２０  デマルチプレクサ
９３０  デマルチプレクサ
９７０  デマルチプレクサ
２００  表示パネル
３００  表示パネル
９００  表示パネル
３２１  入力端
３３１  入力端
９２１  入力端
９３１  入力端
３２３  出力端
３３３  出力端
９２３  出力端
９３３  出力端
４１１  副画素
４１２  副画素
４１３  副画素
４２１  副画素
４２２  副画素
４２３  副画素
ＣＫ  クロック信号
ＣＫ１  クロック信号
ＣＫ２  クロック信号
ＣＫ３  クロック信号
ＣＫ４  クロック信号
ＣＫ５  クロック信号
ＣＫ６  クロック信号
ＣＫ７  クロック信号
ＣＫ８  クロック信号
Ｄ１  データ信号
Ｄ１Ａ  データ信号
Ｄ１Ｂ  データ信号
Ｄ２  データ信号
Ｄ２Ａ  データ信号
Ｄ２Ｂ  データ信号
Ｄ３  データ信号
Ｄ３Ａ  データ信号
Ｄ３Ｂ    データ信号
Ｇｍ  ゲートライン
Ｇｎ  ゲートライン
ＳＷ１  スイッチ
ＳＷ２  スイッチ
ＳＷ３  スイッチ
ＳＷ４  スイッチ
ＳＷ５  スイッチ
ＳＷ６  スイッチ
Ｗ７  スイッチ
ＳＷ８  スイッチ
【図１】
2017076115.tif 000003
【図２】
2017076115.tif 000004
【図３Ａ】
2017076115.tif 000005
【図３Ｂ】
2017076115.tif 000006
【図３Ｃ】
2017076115.tif 000007
【図４Ａ】
2017076115.tif 000008
【図４Ｂ】
2017076115.tif 000009
【図５】
2017076115.tif 000010
【図６】
2017076115.tif 000011
【図７】
2017076115.tif 000012
【図８】
2017076115.tif 000013
【図９】
2017076115.tif 000014
【図１０Ａ】
2017076115.tif 000015
【図１０Ｂ】
2017076115.tif 000016
【図１１】
2017076115.tif 000017
【図１２】
2017076115.tif 000018